(57)【要約】【課題】簡単な操作で使用が可能なだけでなく、折り畳み式支持部を備えたホースバーナーの使用後に、折り畳み式支持部を備えたホースバーナーの形状を変更し、そのサイズを最大限小さくことによって、簡単に携帯できるバーナーを提供する。【解決手段】上面が開口形成され、一側に挿入孔が貫通形成された円筒状の本体と、上記本体の内部に収納され、注入された燃料と空気とが混合され、上記燃料が燃焼される混合管が設けられた空気混合筒とを含む本体部と、一端に上記本体の挿入孔に挿入され、上記混合管側に突出される燃料供給口が設けられ、上記本体部の上面を経由するよう折り曲げ形成され、他端に燃料が注入される燃料注入ノズルが設けられた燃料供給管と、上記本体部が取付け面から一定の間隔で離隔されるように配置され、支持され、上記燃料供給管と重畳される上記本体部に回転自在に設けられると共に、上記本体部の上面と下面を囲む形態で折り畳み可能に設けられる折り畳み式支持部と、を含む。【選択図】図１
2014190691.tif 000002
【特許請求の範囲】
【請求項１】
上面が開口形成され、一側に挿入孔が貫通形成された円筒状の本体と、上記本体の内部に収納され、注入された燃料と空気とが混合され、上記燃料が燃焼される混合管が設けられた空気混合筒とを含む本体部と、
一端に上記本体の挿入孔に挿入され、上記混合管側に突出される燃料供給口が設けられ、上記本体部の上面を経由するよう折り曲げ形成され、他端に燃料が注入される燃料注入ノズルが設けられた燃料供給管と、
上記本体部が取付け面から一定の間隔で離隔されるように配置され、支持され、上記燃料供給管と重畳される上記本体部に回転自在に設けられると共に、上記本体部の上面と下面を囲む形状に折り畳み可能に設けられる折り畳み式支持部と、
を含むことを特徴とする折り畳み式支持部を備えたホースバーナー。
【請求項２】
上記折り畳み式支持部は、上記本体部の底部面に、上記本体部の直径方向に沿って一定の長さで延長形成され、上記本体部に回転自在に結合される複数の本体支持部材と、上記本体支持部材の端部に回転自在に設けられ、取付け面に配置され、上記本体部を支持する複数の支持脚と、を含むことを特徴とする請求項１に記載の折り畳み式支持部を備えたホースバーナー。
【請求項３】
上記複数の本体支持部材は、一部領域が相互重畳された状態で、上記本体部の底部面に回転自在に結合され、上記重畳された一部領域の一側面には、上記本体支持部材の回転角度を拘束できるようにする隣接する本体支持部材の一側面に接触されるストッパーが設けられたことを特徴とする請求項２に記載の折り畳み式支持部を備えたホースバーナー。
【請求項４】
上記ストッパーは、上記本体部を取付け時に、上記複数の支持脚が相互同じ距離で離隔される上記本体支持部材の一側面に設けられたことを特徴とする請求項３に記載の折り畳み式支持部を備えたホースバーナー。
【請求項５】
上記支持脚が回転自在に結合される上記本体支持部材の一側には、上記本体部の高さ方向に沿って上側に延長形成される延長部材が固定結合され、上記延長部材の端部には、加熱対象物を上記本体部の上側に配置できるようにする五徳が回転自在に結合されたことを特徴とする請求項２に記載の折り畳み式支持部を備えたホースバーナー。
【請求項６】
上記支持脚の一側板面には、上記支持脚を上記本体支持部材から展開時に、上記支持脚の回転角度を拘束し、上記本体部を支持する状態を保持できるようにする上記延長部材の一側と接触される拘束突起が設けられたことを特徴とする請求項５に記載の折り畳み式支持部を備えたホースバーナー。
【請求項７】
上記延長部材の一側には、上記五徳に加熱対象物が配置時に、上記加熱対象物を保持できるようにする別途の支持突起が突出形成され、上記五徳の一側には、上記支持突起が挿入される挿入溝が陥没形成されたことを特徴とする請求項５に記載の折り畳み式支持部を備えたホースバーナー。
【請求項８】
上記燃料注入ノズルを、上記本体部側に配置できるように上記燃料注入ノズルは、上記燃料供給管の他端に回転自在に設けられたことを特徴とする請求項１〜７のいずれか１項に記載の折り畳み式支持部を備えたホースバーナー。
【発明の詳細な説明】
【技術分野】
【０００１】
本発明は、バーナーに関するものであり、より詳しくは、ホースバーナーの形状を変形し、全体サイズを小さくすることで、容易に保管できる折り畳み式支持部を備えたホースバーナーに関するものである。
【背景技術】
【０００２】
従来、野外で炊事用等として使用されてきた携帯用バーナーは、ガスバーナーと石油バーナーとに分けられており、石油バーナーは取り付ける手順が複雑で、初心者が使用することが困難なだけなく、アルコールなどで予熱しなければならないので、携帯及び予熱などが非常に不便であり、点火時期を誤って選択すれば、そのシワが生じ、ノズルが詰まってしまい、バーナーを冷却した後、ノズルを洗浄し、再び予熱しなければならない問題点があった。
【０００３】
また、火炎調節を空気バルブで行っているため、場合によっては、適切な調節が難しく、石油容器内に圧力が残留すれば、石油が外部へ噴出されるので、使用後には空気を排出しなければならなく、使用時に圧縮しなければならない問題点があった。
【０００４】
また、ガスバーナーは、使用は簡単であるが、高価であり、熱量の少ないブタンガス等を使用しているので、長期旅行時には多量のガス容器を携帯する必要があり、使用済み容器は再使用ができなく、廃棄しなければならなく、経済的な面で問題点があることから、長期旅行には使用できない問題点があった。
【０００５】
近頃、このような問題点等の解決のために、バーナーの使用が簡単なだけでなく、バーナーの使用後、携帯時に使用が完了されたバーナーの形態を変形し、全体サイズを最大限小さくすることで、簡単に携帯できるバーナーの必要性が求められている。
【発明の概要】
【発明が解決しようとする課題】
【０００６】
上記のような点を鑑みて案出された、本発明の目的は、簡単な操作で使用が可能なだけでなく、ホースバーナーの使用後に、ホースバーナーの形状を変更し、そのサイズを最大限小さくすることによって、簡単に携帯できる折り畳み式支持部を備えたホースバーナーを提供することにある。
【課題を解決するための手段】
【０００７】
本発明の目的を達成するための折り畳み式支持部を備えたホースバーナーは、上面が開口形成され、一側に挿入孔が貫通形成された円筒状の本体と、上記本体の内部に収納され、注入された燃料と空気とが混合され、上記燃料が燃焼される混合管が設けられた空気混合筒とを含む本体部と、一端に上記本体の挿入孔に挿入され、上記混合管側に突出される燃料供給口が設けられ、上記本体部の上面を経由するよう折り曲げ形成され、他端に燃料が注入される燃料注入ノズルが設けられた燃料供給管と、上記本体部が取付け面から一定の間隔で離隔されるように配置され、支持され、上記燃料供給管と重畳される上記本体部に回転自在に設けられると共に、上記本体部の上面と下面を囲む形状に折り畳み可能に設けられる折り畳み式支持部と、含むことを特徴とする。
【０００８】
ここで、上記折り畳み式支持部は、上記本体部の底部面に、上記本体部の直径方向に沿って一定の長さで延長形成され、上記本体部に回転自在に結合される複数の本体支持部材と、上記本体支持部材の端部に回転自在に設けられ、取付け面に配置され、上記本体部を支持する複数の支持脚と、を含んでもよい。
【０００９】
また、上記複数の本体支持部材は、一部領域が相互重畳された状態で、上記本体部の底部面に回転自在に結合され、上記重畳された一部領域の一側面には、上記本体支持部材の回転角度を拘束できるようにする隣接する本体支持部材の一側面に接触されるストッパーが設けられてもよい。
【００１０】
さらに、上記ストッパーは、上記本体部を取付け時に、上記複数の支持脚が相互同じ距離で離隔される上記本体支持部材の一側面に設けられてもよい。
【００１１】
また、上記支持脚が回転自在に結合される上記本体支持部材の一側には、上記本体部の高さ方向に沿って上側に延長形成される延長部材が固定結合され、上記延長部材の端部には、加熱対象物を上記本体部の上側に配置できるようにする五徳が回転自在に結合されてもよい。
【００１２】
さらに、上記支持脚の一側板面には、上記支持脚を上記本体支持部材から展開時に、上記支持脚の回転角度を拘束し、上記本体部を支持する状態を保持できるようにする上記延長部材の一側と接触される拘束突起が設けられてもよい。
【００１３】
また、上記延長部材の一側には、上記五徳に加熱対象物が配置時に、上記加熱対象物を保持できるようにする別途の支持突起が突出形成され、上記五徳の一側には、上記支持突起が挿入される挿入溝が陥没形成されてもよい。
【００１４】
さらに、上記燃料注入ノズルを、上記本体部側に配置できるように上記燃料注入ノズルは、上記燃料供給管の他端に回転自在に設けられてもよい。
【発明の効果】
【００１５】
以上の通り、本発明による折り畳み式支持部を備えたホースバーナーは、簡単な操作で使用が可能なだけでなく、ホースバーナーの使用後に、ホースバーナーの形状を変更し、そのサイズを最大限小さくすることによって、簡単に携帯できる効果が奏する。
【図面の簡単な説明】
【００１６】
【図１】本発明の一実施例に係る備えた折り畳み式支持部を備えたホースバーナーの構造を示した斜視図である。
【図２】図１のIII−III’線に係る線断面図である。
【図３】図１の折り畳み式支持部を備えたホースバーナーを下方から見た構造を示した底面図である。
【図４】図１の折り畳み式支持部を備えたホースバーナーの折り畳み式支持部が折り畳まれた状態の構造を示した側面図である。
【図５】図４の折り畳み式支持部を備えたホースバーナーを上方から見た構造を示した平面図である。
【発明を実施するための形態】
【００１７】
以下、本発明の一実施例に係る折り畳み式支持部を備えたホースバーナーを添付された図面を参照して、より詳細に説明する。
【００１８】
図１は、本発明の一実施例に係る備えた折り畳み式支持部を備えたホースバーナーの構造を示した斜視図であり、図２は図１のIII−III’線に係る線断面図であり、図３は図１の折り畳み式支持部を備えたホースバーナーを下方から見た構造を示した底面図であり、図４は図１の折り畳み式支持部を備えたホースバーナーの折り畳み式支持部が折り畳まれた状態の構造を示した側面図であり、図５は図４の折り畳み式支持部を備えたホースバーナーを上方から見た構造を示した平面図である。
【００１９】
これら図に示されるように、本発明の一実施例に係る折り畳み式支持部を備えたホースバーナーは、上面が開口形成され、一側に挿入孔１１１が貫通形成された円筒状の本体１１０と上記本体１１０の内部に収納され、注入された燃料と空気とが混合され、記燃料が燃焼される混合管１２３が設けられた空気混合筒１２０とを含む本体部１００と、一端に本体１１０の挿入孔１１１に挿入され、混合管１２３側から突出される燃料供給口２１０が設けられ、本体部１００の上面を経由するよう折り曲げ形成され、他端に燃料が注入される燃料注入ノズル１２０が設けられた燃料供給管２００と、上記本体１００部が取付け面から一定の間隔で離隔されるように配置され、支持され、上記燃料供給管２００と重畳される上記本体部１００に回転自在に設けられると共に、上記本体部１００の上面と下面を囲む形状に折り畳まれる、折り畳み式支持部４００と、から構成される。
【００２０】
本体部１００は、折り畳み式支持部を備えたホースバーナーを使用時に、実質的に火炎が点火され、加熱対象物側に熱を加える部材であり、供給される燃料により、使用者が望む程度の熱を加熱対象物側に加えられるように製作されるのが好ましい。
【００２１】
このような本体部１００は、上述するように本体部１００の外形を形成する本体１１０と、本体１１０の内部に収納される空気混合筒１２０とで構成されている。
【００２２】
本体１１０の一側には、燃料供給口２１０が挿入され、本体部１１０の内部へ突出するよう挿入孔１１１が貫通形成され、上面は開口形成され、内部には空気混合筒１２０が収納される一定の内部空間が設けられている。
【００２３】
また、本体１１０の底部面は、楔状に凸状に突出形成されており、外部に凸状に突出形成された底部面の周縁部には、後記する支持部３００の本体支持部材３１０が回転自在に結合される。
【００２４】
本体１１０の上部の相互対向する板面には、空気混合筒１２０を本体１１０に収納時に空気混合筒１２０が装着される装着溝１１２が凹状に形成されている。
【００２５】
本体１１０の内部に収納される空気混合筒１２０は、供給された燃料が完全燃焼され、媒煙が生じないように外部の空気と混合される役割を果たす部材であり、その外形は本体１１０と同じ円筒状で形成されている。
【００２６】
空気混合筒１２０は、外部の空気が流入され、燃料が燃焼時に供給できるようにする混合管１２３が形成されている。この混合管１２３により外部の空気と燃料が混合されることで、完全燃焼が可能となり、媒煙が生じなくなる。
【００２７】
このような、空気混合筒１２０は、一定の直径で形成され、上記本体１１０の内面と接触され、一定の高さで形成されたリング状の外筒１２１と、外筒１２１より相対的に小さな直径で形成され、外筒１２１と離隔され、上記燃料が吐出される空間を形成する内筒１２２と、外筒１２１と内筒１２２と間の空間に形成され、燃料が吐出される燃料吐出部１２４とで構成されてもよい。
【００２８】
外筒１２１は、上面が開口形成され、一定の高さを有するように形成されたリング状の部材であり、その直径は、本体１１０の内壁面と接触できる程度で形成され、本体１１０の内部に収納される。
【００２９】
また、外筒１２１が本体１１０の内部に収納時に、本体１１０に形成された装着溝１１１に外筒１２１が装着できるよう外筒１２１上部の相互対向する面には、一定の間隔で突出され、装着溝１１２に挿入される装着突起１２１ａが設けられている。
【００３０】
内筒１２２は、外筒１２１より相対的に小さな直径を有するように形成され、外筒１２１の内部に外筒１２１と一定の間隔で離隔されるように設けられ、相互離隔された空間に形成された燃料吐出部１２４から火炎が燃焼するようになる。
【００３１】
また、空気混合筒１２０を本体１１０に収納時に、燃料供給口２１０が配置される外筒１２１と内筒１２２との板面領域には、外部の空気が空気混合筒１２０の内部に流入可能にする空気供給切開面１２５が形成されてもよい。
【００３２】
即ち、相互対向する外筒１２１と内筒１２２との板面に、それぞれ空気供給切開面１２５が設けられ、外筒１２１に形成された空気供給切開面１２５の周縁部と内筒１２２に形成された空気供給切開面１２５の周縁部とを囲む形状の外面１２３ａが形成されることによって、混合管１２３が形成される。
【００３３】
このような混合管１２３の底部面は、燃料供給口２１０に向かって斜めに形成されることが好ましく、これは燃料供給口２１０を通して燃料が供給時に燃料が一時的に過度に燃料吐出部１２４側へ供給されることを防止するためである。
【００３４】
空気混合筒１２０の上面には、上記燃料が燃焼され、発生する火炎が均一に空気混合筒１２０の周縁に沿って配列されるよう空気混合筒１２０の周縁方向に沿って複数のスリット１３１が貫通形成されたバーナーキャップ１３０が配置されていてもよい。
【００３５】
バーナーキャップ１３０は、外筒１２１と内筒１２２と間の空間の上面に設けられ、燃料吐出部１２４側に供給された燃料により発生された火炎が上記空間の上面に沿って均一に発火できるようにする役割を果たす。
【００３６】
また、空気混合筒１２０とバーナーキャップ１３０と間の空気混合筒１２０上面には、上記燃料と空気の過度な混合を防止するために、混合管１２３の上面の一部を外部と遮蔽する遮蔽カバー１４０が設けられてもよい。
【００３７】
遮蔽カバー１４０は、燃料吐出部１２４の上面を外部と遮蔽することができるように上記上面の一部を水平方向に遮蔽する一定面積を有するリング状部材１４１と、リング状部材１４１の内面でその高さ方向に沿って一定の間隔で突出形成され、内筒１２２の外周面から離隔されるように配置される突出部材１４２とからなる。
【００３８】
このような構成により、内筒１２２と突出部材１４２と間の離隔された空間を通して外部の空気が混合管１２３側に流入され、燃料と混合されるので、遮蔽カバー１４０により空気と燃料の過度な混合を防止することができる。
【００３９】
燃料供給管２００の一端には、本体１１０の挿入孔１１１に挿入される燃料供給口２１０が設けられ、他端には延長管５１０が連結され、燃料筒５００の燃料が燃料供給管２００側に注入されるようにする燃料注入ノズル２２０が設けられている。
【００４０】
燃料注入ノズル２２０は、ホースバーナーの使用後に、保管するか、又は携帯時に、ホースバーナーの外側に突出する領域がないように燃料供給管２００の他端部に回転自在に結合され、ホースバーナーを保管するか、又は携帯時には、突出される領域が本体部１００側に向かって回転するようになる。
【００４１】
また、このような燃料供給管２００は、予熱のための別途の操作がなくても自動的に予熱過程が進むよう本体部１００の上面を経由するよう折り曲げ形成されることが好ましい。
【００４２】
一方、折り畳み式支持部３００は、本体部１００の底部面に本体部１００の直径方向に沿って一定の長さで延長形成され、本体部１００に回転自在に結合される複数の本体支持部材３１０と、本体支持部材３１０の端部に回転自在に設けられ、取付け面に配置され、本体部１００を支持する複数の支持脚３２０を含んでもよい。
【００４３】
また、複数の本体支持部材３１０は、ホースバーナーを使用しない、保管時に、複数の支持脚３２０を一側に集めて、折り畳み式支持部を備えたホースバーナーが占めるサイズを小さくことで、保管が容易になるよう一部領域が相互重畳された状態で、上記本体部の底部面に回転自在に結合されている。
【００４４】
上記重畳された一部領域の一側面には、本体支持部材３１０の回転角度を拘束するよう隣接する本体支持部材３１０の一側面に接触されるストッパー３１１が設けられてもよい。
【００４５】
このようなストッパー３１１は、本体部３１０を取付け時に、複数の支持脚３２０が相互同じ距離で離隔される本体支持部材３１０の一側面に設けられることで、互いに１２０度の角度で放射状に広がり、本体部１００を安定的に保持できるようにすることが好ましい。
【００４６】
また、支持脚３２０もホースバーナーを使用しな、保管時に、ホースバーナーのサイズを小さくすることができるように、本体支持部材３１０の一側に回転自在に結合されることが効果的である。
【００４７】
上記支持脚３２０は、ホースバーナーの保管時に、ホースバーナーの本体部１００の外面を囲むことができるように‘Ｌ字状’に折り曲げ形成されており、支持脚３２０の一側板面には、支持脚３２０を本体支持部材３１０から展開時に、支持脚３２０の回転角度を拘束し、本体部１００を保持する状態を保持できるようにする後記する延長部材４１０の一側と接触される拘束突起３２１が設けられている。
【００４８】
上記支持脚３２０が回転自在に結合される本体支持部材３１０の一側には、本体部１００の高さ方向に沿って上側に延長形成される延長部材４１０が固定結合され、延長部材４１０の端部には加熱対象物を本体部１００の上側に配置できるようにする五徳４００が回転自在に結合されている。
【００４９】
上記五徳４００は、加熱対象物がその上面に配置時に、安定的に上記加熱対象物を保持できるように本体支持部材３１０と同様に、互いに１２０度の角度を有するよう放射状に広がる三個の部材で構成されるのが効果的である。
【００５０】
また、五徳４００も支持脚３２０と同様に、折り畳み式支持部を備えたホースバーナーを使用しない、保管時に折り畳み式支持部を備えたホースバーナーの全体サイズを小さくことができるように延長部材４１０の端部に回転自在に結合されることが好ましい。
【００５１】
延長部材４１０の一側には、五徳４００に加熱対象物が配置時に、上記加熱対象物を保持できる別途の支持突起４１１が突出形成され、五徳４００の一側には、支持突起４１１が挿入される挿入溝４０１が陥没形成されていてもよい。
【００５２】
上記構成を有する本発明の一実施例に係る折り畳み式支持部を備えたホースバーナーを使用方法は以下の通りである。
【００５３】
まず、支持部３００を構成する本体支持部材３１０が互いに１２０度の角度に広がり、放射状に配置される複数の本体支持部材３１０を回転させ、支持脚３２０が相互離隔されるようにする。
【００５４】
この時、互いに重畳されるように配置された本体支持部材３１０の一側に形成されたストッパー３１１により、本体支持部材３１０が相互最大に広がる角度が１２０度に制限されるので、使用者はそれぞれの本体支持部材３１０を最大角度に回転すれば、自動的に１２０度の角度に広がる。
【００５５】
また、支持脚３２０を最大角度に回転すれば、支持脚３２０の一側板面に設けられた拘束突起３２１が延長部材４１０の一側に接触しながら、それ以上回転しなくなり、本体部１００を安定的に保持することができる状態となる。
【００５６】
その後、延長部材４１０の端部に、回転自在に結合された五徳４００をホースバーナーの中心から外側に回転して広げれば、挿入溝４０１が支持突起４１１に挿入され、保持されるので、加熱対象物が五徳４００に配置される。
【００５７】
その後、燃料注入ノズル２２０に、燃料筒５００が連結された延長管５１０の端部を挿嵌し、互いに連通されるようにすれば、燃料筒５００内部の燃料が燃料供給口２１０を介して供給され、供給された燃料は、空気混合筒１２０に形成された混合管１２３で空気と混合される。
【００５８】
この時、マッチやライターなどを用いて、初期点火すれば空気と混合された燃料が燃焼されながら発火すし、本体部１００の上部を経由する燃料供給口２１０の内部を通過する燃料が気化され、気化された燃料が燃料供給口２１０を介して持続的に供給されながら、加熱対象物側に熱を加え、使用者は加熱対象物を加熱し、料理することができる。
【００５９】
折り畳み式支持部を備えたホースバーナーの使用後には、支持部３００を構成する本体支持部材３１０を回転し、複数の支持脚３２０を一カ所に集め、支持脚３２０と五徳４００が本体部１００の外面を囲むように折り畳み、燃料供給管２００の他側に回転自在に設けられた燃料供給ノズル２２０を本体部１００側に回転させ、ホースバーナーのサイズを最小限にし、保管するか、又は携帯できる。
【００６０】
以上の説明は、本発明により具現ができる好ましい実施例の一部について説明したものに過ぎなく、周知のように、本発明の範囲は上記実施例に限定されて解釈されるものでなく、上記説明された本発明の技術的思想とその根本を共にする技術的思想はいずれも本発明の範囲に含まれる。
【符号の説明】
【００６１】
１００  本体部
１１０  本体
１２０  空気混合筒
１２１  外筒
１２２  内筒
１２３  混合管
１２４  燃料吐出部
１２５  空気供給切開面
２００  燃料供給管
２１０  燃料供給口
２２０  燃料注入ノズル
３００  支持部
３１０  本体支持部材
３１１  ストッパー
３２０  支持脚
３２１  拘束突起
４００  五徳
４０１  挿入溝
４１０  延長部材
４１１  支持突起
【図１】
2014190691.tif 000003
【図２】
2014190691.tif 000004
【図３】
2014190691.tif 000005
【図４】
2014190691.tif 000006
【図５】
2014190691.tif 000007